(57)【要約】      （修正有）【課題】電気コード類を着脱可能に掛け留めることのできるクランプ部材を設けた作業服を提供する。【解決手段】クランプ部材の一端部の近傍を、作業服の袖の前腕部の一部および上腕部の一部と肩の一部に縫着し、他端部を袖の前腕部の一部および上腕部の一部と肩の一部にボタン又はスナップボタンにより係脱自在に係止できるようにする。【選択図】図３
0003204238.tif 000002
【実用新案登録請求の範囲】
【請求項１】
袖の前腕部の一部および上腕部の一部と肩の一部に、電気コード類を着脱可能に掛け留めることのできるクランプ部材を設けたことを特徴とする作業服。
【請求項２】
クランプ部材は、一端部の近傍にボタン孔を形成し、他端部の近傍を袖の前腕部の一部および上腕部の一部と肩の一部に縫着し、袖の前腕部の一部および上腕部の一部と肩の一部にボタンを取付け、該ボタンに対し係脱自在となっていることを特徴とする請求項１に記載の作業服。
【請求項３】
クランプ部材の一端部の近傍にスナップボタンの係合孔を有したメス部材を取付け、他端部の近傍を袖の前腕部の一部および上腕部の一部と肩の一部に縫着し、袖の前腕部の一部および上腕部の一部と肩の一部にスナップボタンの突起を有したオス部材を取付け、該オス部材に対し係脱自在となっていることを特徴とする請求項１に記載の作業服。
【考案の詳細な説明】
【技術分野】
【０００１】    本考案は作業用上着として着用する、電気コード類を着脱可能に掛け留めることのできるクランプ部材を設けた作業服に関するものである。
【背景技術】
【０００２】    作業服は各種作業に従事する人々が使用する。たとえば土木建築作業、荷役作業、運搬作業をはじめそのほか数多くの作業で着用される。作業服は身体の動きに馴染み、災害防止の面からも安全な身なりに供され、機能性に優れているものの、小型・軽量型電動機器の電気コードを掛け留めるクランプ部材が備わっていないという欠点がある。【０００３】    例えば、庭木や植木の剪定作業において、作業者がバッテリー式でない電動ヘッジトリマーを使用する場合に、電気コードはトリマーの下方へ垂れ下がったり、あるいは木の枝葉に埋もれてしまったりすると、作業者はコードを見失ってしまい誤ってトリマーのブレードで切断してしまったり、絶縁被覆を損傷させるといった事故を起こすことがある。【０００４】    このように剪定作業では、コードを制御することが困難であり、更に作業服にコードを掛け留めるクランプ部材が備わっていないことから、作業者はコードの損壊を防ぐため頻繁にコードの存在位置を視認しながら作業しなくてはならず、結果的に作業能率が上がらないといった現象を招き、挙句、能率の低下を厭い、やむを得ずコードを作業者自身の腕に巻いたり、肩に掛けたり、時には首に巻いたりするなどして作業を行うことがある。こうした安易なやり方は重篤事故を招く虞がある。
【先行技術文献】
【特許文献】
【０００５】
【特許文献１】実開昭６３−１５４６１５
【考案の概要】
【考案が解決しようとする課題】
【０００６】    本考案は、上述のとおり従来の作業服の欠点に鑑み、バッテリー式でない電動ヘッジトリマーのコードの損壊を防止するために、コードを着脱可能に掛け留めることのできるクランプ部材を設けた作業服を提供することを目的としている。
【課題を解決するための手段】
【０００７】    この課題は、作業服の袖の前腕部の一部および上腕部の一部と肩の一部に、電気コード類を着脱可能に掛け留めることのできるクランプ部材を設けることによって解決される。【０００８】    電気部品等の製造業界には、袖の上腕部の適当な部位１ヶ所にアース線等を掛け留めるためのクランプ部材を設けた作業服が存在する。アース線や類似したカールコード等は極めて軽量で、該クランプ部材で掛け留めたときにクランプ部材に掛かる荷重が小さいため、クランプ部材の作業服に対する係止方法が着脱可能な面ファスナーを採用した構造となっており、電動ヘッジトリマーのコードのような比較的重量のあるコードを剪定作業等に従事する激しい行為の中で安定的に保持するという目的からすると流用が利かず、本考案が取り組む解決手段にはなりえない。【０００９】    本考案の最大の特徴は、作業服の袖の前腕部の一部および上腕部の一部と肩の一部にクランプ部材の一端部を縫着し、他端部を係脱自在のボタンもしくはスナップボタンのいずれか一つの手段を用いて作業服に係止することに依り、局部にコードをあてがい該クランプ部材で挟み込んで安定的に保持する機能を付加したことである。
【考案の効果】
【００１０】    以上の説明から明らかなように、本考案の作業服にあっては次に列挙する効果が得られる。
１  本考案の作業服は請求項１に記述のクランプ部材と請求項２もしくは請求項３のいずれか一つの手段で構成されており、ヘッジトリマーのコードは袖、肩ともに容易に着脱できる。
２  コードは作業服の袖および肩のクランプ部材によって、袖および肩に密着した状態で安定的に保持され、従来のようにヘッジトリマーから直下方向へ垂れ下がることが無くなり見失うことも無くなるので作業者に安心感が生ずる。
３  更に、コードはヘッジトリマーを持つ手の袖のクランプ部材および肩のクランプ部材によって保持されるので、作業者がヘッジトリマーを操作する腕の動作の範囲内において腕の動きに追従し、作業者が見失うこともなく誤ってコードを損壊するような事態には至らない。
４  加えて、コードは肩のクランプ部材によって保持されることに依り、延長側のコードは常時作業者の背面に位置し作業者の移動に追従するため、作業者はコードを頻繁に視認する必要が無くなり作業能率向上につながる。
５  クランプ部材が作業服と同じ生地、色調の場合、違和感を抱くことはなく、また、生地や色調を適宜に選択することによって一種の服飾としての効果がある。
【図面の簡単な説明】
【００１１】
【図１】図１は本考案のクランプ部材（７）を縫着し、ボタン（８）を取り付けた作業服の一例の正面図である。図１ではクランプ部材を係止する手段としてボタンを使用した。
【図２】図２のＡはクランプ部材の係止部材としてボタンを、Ｂはスナップボタンを採用したときのクランプ部材と係止部材との適合をイメージした描画である。
【図３】図３は作業者が本考案の作業服を着用し、電動ヘッジトリマーを携え、コードをクランプ部材で安定的に保持したときの右上半身を正面から捉えたイメージ描画である。
【図４】図４は従来のクランプ部材を具備した作業服の一例を示す描画である。
【考案を実施するための形態】
【００１２】    考案を実施するための形態について図面を参照しつつ説明する。
【００１３】    図１は本考案のクランプ部材（７）を縫着し、且つボタン（８）を設けた作業服の一例の正面図である。図１では、クランプ部材を係脱自在に係止する手段としてボタンを使用した。
【００１４】    図１において、コードをクランプ部材（７）で掛け留めたとき、コードの前後左右の摺動を抑制し服地に密着させて安定的に保持するため、生地は作業服と同等とし、大きさは長辺を約５０ｍｍ、短辺を約２５ｍｍに揃えることが最良である。
【００１５】    図１において、クランプ部材の係止部材として図２のＡのボタンを用いるときは、クランプ部材（７）はその短辺側の一端部の近傍にボタン孔を形成し、他端部の近傍を作業服に縫着する。
【００１６】    図１において、ボタン（８）はクランプ部材（７）の取付け位置よりも上方の部位に、クランプ部材（７）のボタン孔に対して適合する位置に取り付ける。
【００１７】    図１において、クランプ部材の係止部材として図２のＢのスナップボタンを用いるときは、クランプ部材はその一端部の近傍にスナップボタンの係合孔を有したメス部材を取付け、他端部の近傍を作業服に縫着する。
【００１８】    図１において、スナップボタンの他方の突起を有したオス部材は、ボタンの取り付け位置と同様にクランプ部材の取付け位置よりも上方の部位に、クランプ部材のメス部材に対して適合する位置に取り付ける。
【００１９】    以下、考案を実施する詳細な形態について、ボタンを係止部材として採用したものとして説明する。
【００２０】    図１において、クランプ部材（７）を設ける作業服の肩（２）の部位は、コードが肩の頂上部の中間位で肩の線と直角に交差するようにして、クランプ部材の長辺側を肩の線に沿ってあてがい、ボタン孔を形成した短辺側が衿（１）に近い側に位置するように設定し、ボタン孔を形成しない短辺側の近傍を身体の肩鎖関節に近い側に縫着し、衿（１）に近い側に位置する短辺側をボタン（８）で係止すべく、ボタン（８）をクランプ部材のボタン孔に対して適合する位置に取り付ける。
【００２１】    図１において、クランプ部材（７）を設ける作業服の前袖（３）において、１ヶ所は上腕部（４）の脇と肘との中間位、且つ袖の頂上部と下部の縫い目（６）との中間位のコード視認可能位置に設定し、ボタン孔を形成しない短辺側の近傍を縫着する。
【００２２】    図１において、クランプ部材（７）を設ける作業服の前袖（３）において、他の１ヶ所は前腕部（５）の肘と袖口との中間位、且つ袖の下部にある縫い目（６）の近傍の、コード視認可能位置に設定し、ボタン孔を形成しない短辺側の近傍を縫着する。
【００２３】    図１において、前袖（３）に対するボタン（８）の取り付け位置は、コードをクランプ部材（７）で作業服に密着させ挟持可能ならしめるため該クランプ部材縫着位置の上位に設定し、クランプ部材のボタン孔に対して適合する位置に取り付ける。
【００２４】    以上に記述した取付け形態によって、作業者はコードを掛け留める際、手指を使うので、コードの滑落を防ぎつつ容易にボタン留めを行うことができる。
【００２５】    また、コードは図３に示す通り、作業者の袖の表面に接しつつ肩と手首の間を不必要に曲折することなく安定的に保持可能であり、且つ、激しい動作を伴う剪定作業において、コードは身体の腕の内側に接する状態を維持しつつ腕の動きに追従し、外部の障害から保護されることになる。
【産業上の利用可能性】
【００２６】    本考案は、作業服、作業用ブルゾンを製造する産業界で縫製できる。【００２７】    本考案は、電動ヘッジトリマーを使用する作業者が利用できる。【００２８】    本考案は、電気コードを接続した小型・軽量型電動研磨機や小型・軽量型電動ドリル等を使用する作業者が利用できる。
【符号の説明】
【００２９】    １  ：  作業服の衿
２  ：  作業服の肩
３  ：  作業服の前袖
４  ：  前袖の上腕部
５  ：  前袖の前腕部
６  ：  袖の縫い目
７  ：  クランプ部材
８  ：  ボタン
【図１】
0003204238.tif 000003
【図２】
0003204238.tif 000004
【図３】
0003204238.tif 000005
【図４】
0003204238.tif 000006